(57)【要約】      （修正有）【課題】カウント機能を有する運動アームバッグを提供する。【解決手段】運動アームバッグは、本体１０及び前記本体の左側に位置するアームバッグ１１を含み、前記本体の頂壁の中には左右に貫通した凹槽が設置されており、前記凹槽の中には固定棒が固定的に設置されており、前記固定棒の外表面にはウォームホイールが固定的に設置されており、本発明の運動アームバッグは便利に収納でき、頑丈に挟み、運動の歩数を記録でき、設備が同一な動力源を利用してアームバッグの折畳みと広げを実現し、同時にこの動力源を利用してデータをリセットでき、自動的な操作は使用者がより良く体現する。【選択図】図１
2020175108.tif 000002
【特許請求の範囲】
【請求項１】
カウント機能を有する運動アームバッグであって、本体及び前記本体の左側に位置するアームバッグを含み、前記本体の頂壁の中には左右に貫通した凹槽が設置されており、前記凹槽の中には固定棒が固定的に設置されており、前記固定棒の外表面にはウォームホイールが固定的に設置されており、前記ウォームホイールの前後両側には前記固定棒と回転できるように連結される回転棒が対称的に設置されており、前記回転棒の末端と前記アームバッグとが固定的に連結され、前記凹槽の底壁の中には切替チャンバが設置されており、前記切替チャンバと前記凹槽との間には前記ウォームホイールと噛み合うウォームが回転できるように設置されており、前記切替チャンバの中の前記ウォームの末端には第一傘歯車が固定的に設置されており、前記切替チャンバの左側端壁の中にはスライドチャンバが連通して設置されており、前記スライドチャンバの中にはスライダがスライドできるように設置されており、前記スライダの中には上下に貫通したネジ山穴が設置されており、前記ネジ山穴の中にはネジ山ボルトがネジ山により係合連結され、前記ネジ山ボルトの頂部の末端と前記スライドチャンバの頂壁の中に固定的に設置される第一モーターとが伝動できるように連結され、前記ネジ山ボルトは底部が前記スライドチャンバの下方の第一伝動チャンバの中に伸びており且つ末端には第二傘歯車が固定的に設置されており、前記スライダの右側端壁の中には第二モーターが固定的に設置されており、前記第二モーターの出力軸のうち右へ伸びている末端には第三傘歯車が固定的に設置されており、前記第一伝動チャンバの中には挟み装置が設置されており、前記第一伝動チャンバの右側端壁の中にはカムチャンバが設置されており、前記カムチャンバの中にはカウント装置が設置されており、前記挟み装置とカウント装置との協力によってアームバッグの固定とカウントを実現できることを特徴とするカウント機能を有する運動アームバッグ。
【請求項２】
前記挟み装置は前記第一伝動チャンバの前後端壁の中に対称的に設置される第三伝動チャンバを含み、左右の二つの前記第三伝動チャンバの間には前記第二伝動チャンバを貫通した第一回転軸が回転できるように設置されており、前記第三伝動チャンバの中の前記第一回転軸の末端には第四傘歯車が固定的に設置されており、前記第二伝動チャンバの中の前記第一回転軸の外表面には前記第二傘歯車と噛み合う第五傘歯車が固定的に設置されており、前記第三伝動チャンバの頂壁の中には挟みチャンバが設置されており、前記挟みチャンバと前記第三伝動チャンバとの間には第二回転軸が回転できるように設置されており、前記第三伝動チャンバの中の前記第二回転軸の末端には前記第四傘歯車と噛み合う第六傘歯車が固定的に設置されており、前記挟みチャンバの中の前記第二回転軸の末端には連結アームが固定的に設置されており、前記連結アームの末端には挟みブロックが固定的に設置されており、前記挟みブロックが腕をもっと強く挟むように向かい合って移動することを特徴とする請求項１に記載のカウント機能を有する運動アームバッグ。
【請求項３】
前記カウント装置は前記カムチャンバの右側に設置される第四伝動チャンバを含み、前記第四伝動チャンバと前記カムチャンバとの間には第一ラチェットチャンバが設置されており、前記第一ラチェットチャンバと前記カムチャンバとの間には第三回転軸が回転できるように設置されており、前記第三回転軸の左側末端と前記カムチャンバの左側端壁の中に弾性的に設置されるねじりバネとが固定的に連結され、前記カムチャンバの中の前記第三回転軸の外表面にはカムが固定的に設置されており、前記第一ラチェットチャンバの中の前記第三回転軸の末端には第一ラチェット付き円盤が固定的に設置されており、前記第一ラチェットチャンバと前記第四伝動チャンバとの間には第四回転軸が回転できるように設置されており、前記第一ラチェットチャンバの中の前記第四回転軸の末端には前記第一ラチェット付き円盤と係合される第一ラチェットが固定的に設置されており、前記第四伝動チャンバの中の前記第四回転軸の末端には第七傘歯車が固定的に設置されており、前記第四伝動チャンバの底壁の中には表示チャンバが設置されており、前記第四伝動チャンバと前記切替チャンバとの間には第二ラチェットチャンバが設置されており、前記第二ラチェットチャンバと前記切替チャンバとの間には第五回転軸が回転できるように設置されており、前記切替チャンバの中の前記第五回転軸の末端には前記第三傘歯車と噛み合う第八傘歯車が固定的に設置されており、前記第二ラチェットチャンバの中の前記第五回転軸の末端には第二ラチェットが固定的に設置されており、前記第二ラチェットチャンバと前記表示チャンバとの間には前記第四伝動チャンバを貫通した第六回転軸が固定的に設置されており、前記第二ラチェットチャンバの中の前記第六回転軸の末端には第二ラチェットと係合される第二ラチェット付き円盤が固定的に設置されており、前記第四伝動チャンバの中の前記第六回転軸の外表面には前記第七傘歯車と噛み合う第八傘歯車が固定的に設置されており、前記表示チャンバの中の前記第六回転軸の末端には歯車が固定的に設置されており、前記表示チャンバの中には目盛りの付いた歯車対が回転できるように設置されており、前記表示チャンバの底壁の中には多組の観察穴が設置されており、アームのスイングを利用してカムを回転連動させ、運動歩数の記録を実現できることを特徴とする請求項１に記載のカウント機能を有する運動アームバッグ。
【発明の詳細な説明】
【技術分野】
【０００１】
本発明は体育用具の分野を取り上げて、具体的にはカウント機能を有する運動アームバッグを取り上げる。
【背景技術】
【０００２】
人が運動する時、スマホと、鍵などの保存は不便利であり、そのため常にアームバッグを使って保存し、普通のアームバッグは取り外しにくく、アームバッグの中の物品を取りだしにくく、それに伝統的なアームバッグは不便利に収納し、カウント装置も設置されてなく、そのためカウント機能を有する運動アームバッグを求めて上記の問題を解決する。
【先行技術文献】
【特許文献】
【０００３】
【特許文献１】中国特許出願公開第107019323号明細書
【発明の概要】
【発明が解決しようとする課題】
【０００４】
本発明の目的はカウント機能を有する運動アームバッグを提供し、現有の技術の上記欠点を克服でき、設備の実用性を高める。
【課題を解決するための手段】
【０００５】
本発明のカウント機能を有する運動アームバッグは、本体及び前記本体の左側に位置するアームバッグを含み、前記本体の頂壁の中には左右に貫通した凹槽が設置されており、前記凹槽の中には固定棒が固定的に設置されており、前記固定棒の外表面にはウォームホイールが固定的に設置されており、前記ウォームホイールの前後両側には前記固定棒と回転できるように連結される回転棒が対称的に設置されており、前記回転棒の末端と前記アームバッグとが固定的に連結され、前記凹槽の底壁の中には切替チャンバが設置されており、前記切替チャンバと前記凹槽との間には前記ウォームホイールと噛み合うウォームが回転できるように設置されており、前記切替チャンバの中の前記ウォームの末端には第一傘歯車が固定的に設置されており、前記切替チャンバの左側端壁の中にはスライドチャンバが連通して設置されており、前記スライドチャンバの中にはスライダがスライドできるように設置されており、前記スライダの中には上下に貫通したネジ山穴が設置されており、前記ネジ山穴の中にはネジ山ボルトがネジ山により係合連結され、前記ネジ山ボルトの頂部の末端と前記スライドチャンバの頂壁の中に固定的に設置される第一モーターとが伝動できるように連結され、前記ネジ山ボルトは底部が前記スライドチャンバの下方の第一伝動チャンバの中に伸びており且つ末端には第二傘歯車が固定的に設置されており、前記スライダの右側端壁の中には第二モーターが固定的に設置されており、前記第二モーターの出力軸のうち右へ伸びている末端には第三傘歯車が固定的に設置されており、前記第一伝動チャンバの中には挟み装置が設置されており、前記第一伝動チャンバの右側端壁の中にはカムチャンバが設置されており、前記カムチャンバの中にはカウント装置が設置されており、前記挟み装置とカウント装置との協力によってアームバッグの固定とカウントを実現できる。
【０００６】
更なる技術方案、前記挟み装置は前記第一伝動チャンバの前後端壁の中に対称的に設置される第三伝動チャンバを含み、左右の二つの前記第三伝動チャンバの間には前記第二伝動チャンバを貫通した第一回転軸が回転できるように設置されており、前記第三伝動チャンバの中の前記第一回転軸の末端には第四傘歯車が固定的に設置されており、前記第二伝動チャンバの中の前記第一回転軸の外表面には前記第二傘歯車と噛み合う第五傘歯車が固定的に設置されており、前記第三伝動チャンバの頂壁の中には挟みチャンバが設置されており、前記挟みチャンバと前記第三伝動チャンバとの間には第二回転軸が回転できるように設置されており、前記第三伝動チャンバの中の前記第二回転軸の末端には前記第四傘歯車と噛み合う第六傘歯車が固定的に設置されており、前記挟みチャンバの中の前記第二回転軸の末端には連結アームが固定的に設置されており、前記連結アームの末端には挟みブロックが固定的に設置されており、前記挟みブロックが腕をもっと強く挟むように向かい合って移動する。
【０００７】
更なる技術方案、前記カウント装置は前記カムチャンバの右側に設置される第四伝動チャンバを含み、前記第四伝動チャンバと前記カムチャンバとの間には第一ラチェットチャンバが設置されており、前記第一ラチェットチャンバと前記カムチャンバとの間には第三回転軸が回転できるように設置されており、前記第三回転軸の左側末端と前記カムチャンバの左側端壁の中に弾性的に設置されるねじりバネとが固定的に連結され、前記カムチャンバの中の前記第三回転軸の外表面にはカムが固定的に設置されており、前記第一ラチェットチャンバの中の前記第三回転軸の末端には第一ラチェット付き円盤が固定的に設置されており、前記第一ラチェットチャンバと前記第四伝動チャンバとの間には第四回転軸が回転できるように設置されており、前記第一ラチェットチャンバの中の前記第四回転軸の末端には前記第一ラチェット付き円盤と係合される第一ラチェットが固定的に設置されており、前記第四伝動チャンバの中の前記第四回転軸の末端には第七傘歯車が固定的に設置されており、前記第四伝動チャンバの底壁の中には表示チャンバが設置されており、前記第四伝動チャンバと前記切替チャンバとの間には第二ラチェットチャンバが設置されており、前記第二ラチェットチャンバと前記切替チャンバとの間には第五回転軸が回転できるように設置されており、前記切替チャンバの中の前記第五回転軸の末端には前記第三傘歯車と噛み合う第八傘歯車が固定的に設置されており、前記第二ラチェットチャンバの中の前記第五回転軸の末端には第二ラチェットが固定的に設置されており、前記第二ラチェットチャンバと前記表示チャンバとの間には前記第四伝動チャンバを貫通した第六回転軸が固定的に設置されており、前記第二ラチェットチャンバの中の前記第六回転軸の末端には第二ラチェットと係合される第二ラチェット付き円盤が固定的に設置されており、前記第四伝動チャンバの中の前記第六回転軸の外表面には前記第七傘歯車と噛み合う第八傘歯車が固定的に設置されており、前記表示チャンバの中の前記第六回転軸の末端には歯車が固定的に設置されており、前記表示チャンバの中には目盛りの付いた歯車対が回転できるように設置されており、前記表示チャンバの底壁の中には多組の観察穴が設置されており、アームのスイングを利用してカムを回転連動させ、運動歩数の記録を実現できる。
【発明の効果】
【０００８】
本発明の有益な効果は下記の通りである：
【０００９】
本発明の運動アームバッグは便利に収納でき、頑丈に挟み、運動の歩数を記録でき、設備が同一な動力源を利用してアームバッグの折畳みと広げを実現し、同時にこの動力源を利用してデータをリセットでき、自動的な操作は使用者がより良く体現する。
【図面の簡単な説明】
【００１０】
発明実施例或いは現用技術の技術プランをもっとはっきり説明できるため、以下は実施例或いは現用現用技術の描写に使われる付図を簡単に紹介市、明らかに、以下述べる付図はただ発明の実施例であり、本分野の普通の技術人員にとって、創造的な労働を払わなくても、この付図によって他の付図を得られる。
【図１】図１は本発明のカウント機能を有する運動アームバッグの全体構成模式図
【図２】図２は図１のＡの拡大構成模式図
【図３】図３は図１のＢ−Ｂの構成模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
以下は図１−３について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−３に示されるように、本発明のカウント機能を有する運動アームバッグは、本体１０及び前記本体１０の左側に位置するアームバッグ１１を含み、前記本体１０の頂壁の中には左右に貫通した凹槽４５が設置されており、前記凹槽４５の中には固定棒４７が固定的に設置されており、前記固定棒４７の外表面にはウォームホイール４８が固定的に設置されており、前記ウォームホイール４８の前後両側には前記固定棒４７と回転できるように連結される回転棒４８が対称的に設置されており、前記回転棒４８の末端と前記アームバッグ１１とが固定的に連結され、前記凹槽４５の底壁の中には切替チャンバ４２が設置されており、前記切替チャンバ４２と前記凹槽４５との間には前記ウォームホイール４８と噛み合うウォーム４６が回転できるように設置されており、前記切替チャンバ４２の中の前記ウォーム４６の末端には第一傘歯車４３が固定的に設置されており、前記切替チャンバ４２の左側端壁の中にはスライドチャンバ１４が連通して設置されており、前記スライドチャンバ１４の中にはスライダ１５がスライドできるように設置されており、前記スライダ１５の中には上下に貫通したネジ山穴１６が設置されており、前記ネジ山穴１６の中にはネジ山ボルト１３がネジ山により係合連結され、前記ネジ山ボルト１３の頂部の末端と前記スライドチャンバ１４の頂壁の中に固定的に設置される第一モーター４４とが伝動できるように連結され、前記ネジ山ボルト１３は底部が前記スライドチャンバ１４の下方の第一伝動チャンバ５３の中に伸びており且つ末端には第二傘歯車５０が固定的に設置されており、前記スライダ１５の右側端壁の中には第二モーター４０が固定的に設置されており、前記第二モーター４０の出力軸のうち右へ伸びている末端には第三傘歯車４１が固定的に設置されており、前記第一伝動チャンバ５３の中には挟み装置２００が設置されており、前記第一伝動チャンバ５３の右側端壁の中にはカムチャンバ２１が設置されており、前記カムチャンバ２１の中にはカウント装置３００が設置されており、前記挟み装置２００とカウント装置３００との協力によってアームバッグの固定とカウントを実現できる。
【００１４】
有益なように、前記挟み装置２００は前記第一伝動チャンバ５３の前後端壁の中に対称的に設置される第三伝動チャンバ５４を含み、左右の二つの前記第三伝動チャンバ５４の間には前記第二伝動チャンバ５３を貫通した第一回転軸が回転できるように設置されており、前記第三伝動チャンバ５４の中の前記第一回転軸５１の末端には第四傘歯車５５が固定的に設置されており、前記第二伝動チャンバ５３の中の前記第一回転軸５１の外表面には前記第二傘歯車５０と噛み合う第五傘歯車５２が固定的に設置されており、前記第三伝動チャンバ５４の頂壁の中には挟みチャンバ５８が設置されており、前記挟みチャンバ５８と前記第三伝動チャンバ５４との間には第二回転軸５７が回転できるように設置されており、前記第三伝動チャンバ５４の中の前記第二回転軸５７の末端には前記第四傘歯車５５と噛み合う第六傘歯車５６が固定的に設置されており、前記挟みチャンバ５８の中の前記第二回転軸５７の末端には連結アーム１７が固定的に設置されており、前記連結アーム１７の末端には挟みブロック１２が固定的に設置されており、前記挟みブロック１２が腕をもっと強く挟むように向かい合って移動する。
【００１５】
有益なように、前記カウント装置３００は前記カムチャンバ２１の右側に設置される第四伝動チャンバ３４を含み、前記第四伝動チャンバ３４と前記カムチャンバ２１との間には第一ラチェットチャンバ２２が設置されており、前記第一ラチェットチャンバ２２と前記カムチャンバ２１との間には第三回転軸１８が回転できるように設置されており、前記第三回転軸１８の左側末端と前記カムチャンバ２１の左側端壁の中に弾性的に設置されるねじりバネ１９とが固定的に連結され、前記カムチャンバ２１の中の前記第三回転軸１８の外表面にはカム２０が固定的に設置されており、前記第一ラチェットチャンバ２２の中の前記第三回転軸１８の末端には第一ラチェット付き円盤２３が固定的に設置されており、前記第一ラチェットチャンバ２２と前記第四伝動チャンバ３４との間には第四回転軸２８が回転できるように設置されており、前記第一ラチェットチャンバ２２の中の前記第四回転軸２８の末端には前記第一ラチェット付き円盤２３と係合される第一ラチェット２７が固定的に設置されており、前記第四伝動チャンバ３４の中の前記第四回転軸２８の末端には第七傘歯車２９が固定的に設置されており、前記第四伝動チャンバ３４の底壁の中には表示チャンバ２５が設置されており、前記第四伝動チャンバ３４と前記切替チャンバ４２との間には第二ラチェットチャンバ３６が設置されており、前記第二ラチェットチャンバ３６と前記切替チャンバ４２との間には第五回転軸３８が回転できるように設置されており、前記切替チャンバ４２の中の前記第五回転軸３８の末端には前記第三傘歯車４１と噛み合う第八傘歯車３９が固定的に設置されており、前記第二ラチェットチャンバ３６の中の前記第五回転軸３８の末端には第二ラチェット３７が固定的に設置されており、前記第二ラチェットチャンバ３６と前記表示チャンバ２５との間には前記第四伝動チャンバ３４を貫通した第六回転軸３１が固定的に設置されており、前記第二ラチェットチャンバ３６の中の前記第六回転軸３１の末端には第二ラチェット３７と係合される第二ラチェット付き円盤３５が固定的に設置されており、前記第四伝動チャンバ３４の中の前記第六回転軸３１の外表面には前記第七傘歯車２９と噛み合う第八傘歯車３３が固定的に設置されており、前記表示チャンバ２５の中の前記第六回転軸３１の末端には歯車３０が固定的に設置されており、前記表示チャンバ２５の中には目盛りの付いた歯車対２４が回転できるように設置されており、前記表示チャンバ２５の底壁の中には多組の観察穴２６が設置されており、アームのスイングを利用してカム２０を回転連動させ、運動歩数の記録を実現できる。
【００１６】
以下、付図１−３及び上記の本願発明の車載用スマホケースの具体的な構造を参考してその使い方を詳しく説明する：
【００１７】
本発明を使う時、まずは前記第二モーター４０を始動して逆方向に回転させ、それにより前記第二ラチェット３７と、第二ラチェット付き円盤３５及び歯車３０を回転連動させ、それにより歯車対２４を回転連動させ、それによりデータをリセットし、それから前記第一モーター４４を始動して回転させ、それにより前記第二傘歯車５０と、第五傘歯車５２と、第四傘歯車５５と、第六傘歯車５６と、連結アーム１７及び挟みブロック１２を回転連動させ、それにより挟みブロック１２の開きを実現でき、同時に前記第一モーター４４が回転してネジ山ボルト１３を回転連動させ、それにより前記スライダ１５を上へ移動連動させ、それにより前記第三傘歯車４１と前記第一傘歯車４３とを噛合連動させ、この時前記第二モーター４４を始動して回転させて前記第三傘歯車４１と、第一傘歯車４３及びウォーム４６を回転連動させ、それによりアームバッグ１１を半周回転連動させ、この時挟みブロック１２を腕の両側に置き、前記第一モーター４４を始動して逆方向に回転させて前記挟みブロック１２を向かい合って移動連動させて腕を挟み、それにより本体１０及びアームバッグ１１を腕に固定させ、それで使用者が運動する時、その腕がスイングしてカム２０を回転連動させ、それにより前記第一ラチェット付き円盤２３と、第一ラチェット２７と、第七傘歯車２９と、第八傘歯車３３及び歯車３０を回転連動させ、前記カム２０が一周回転する度に、前記歯車３０が一格回転し、それにより歯車対２４を回転連動させ、それにより歩数の記録が実現できる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020175108.tif 000003
【図２】
2020175108.tif 000004
【図３】
2020175108.tif 000005